【手続補正書】
【提出日】平成16年3月9日(2004.3.9)
【手続補正１】
【補正対象書類名】明細書
【補正対象項目名】全文
【補正方法】変更
【補正の内容】
【発明の名称】切削機における切り粉飛散防止用カバー
【特許請求の範囲】
【請求項１】切削機本体上に固定され、回転する切削部材を覆う固定カバーと、切削部材の前方で左右方向に移動するワーク台上に設けられた第１および第２移動カバーとを備え、固定カバーは、上下壁、左右側壁、後壁および前開口部よりなり、且つ前開口部から切削部材の一部が出るように設けられ、下壁には切削部材の前方まで伸びる延長部が設けられ、右側壁にも下壁の延長部と同じ突出幅の延長部が設けられており、第１移動カバーは、ワーク台上の上下のクランプの左後側に設けられてワーク台の右方への移動に伴って固定カバーの前開口部を塞ぎつつ移動するようになされ、且つワーク台の移動に伴って固定カバーの上壁の上側を移動する上壁と、固定カバーの下壁の下側を移動する下壁と、上下壁の前端間に設けられ且つ固定カバーの前開口部と対向する開口対向壁とよりなり、第２移動カバーは、ワーククランプの上方を覆い、下面に上クランプを一体に有する透明な板状であり且つその後部はワーク台の移動に伴って固定カバーの上壁の上側を移動するようになされている、切削機における切り粉飛散防止用カバー。
【請求項２】切削部材が、棒状ワークの先端部を接触させながら通過させ得る間隔をおいた上下２枚の切削円盤である請求項１記載の切削機における切り粉飛散防止用カバー。
【請求項３】固定カバーの右側壁延長部に棒状ワークの通過を許す凹形切欠部が形成されている請求項１記載の切削機における切り粉飛散防止用カバー。
【請求項４】固定カバーの下壁延長部の左側に傾斜部が設けられ、第１移動カバーの上壁および下壁は、それぞれ固定カバーの下壁延長部および下壁傾斜部に対応する広幅部および傾斜部を備えており、第１移動カバーの開口対向壁は、固定カバーの下壁延長部に対応する対応部と固定カバーの下壁傾斜部に対応する傾斜対応部とを備えている請求項１記載の切削機における切り粉飛散防止用カバー。
【請求項５】切削部材が、棒状ワークの先端部を接触させながら通過させ得る間隔をおいた上下２枚の切削円盤であり、  固定カバーの左側壁がその中央から斜め前側右方へ傾斜した前側傾斜部を有し、左側壁の中央から後側部に集塵機の吸引ダクトが接続されている請求項４記載の切削機における切り粉飛散防止用カバー。
【請求項６】固定カバーの上壁、下壁および後壁は、それぞれ切削部材より左方へ伸び、これら各壁と固定カバーの左側壁とによって、切削部材による切削粉を集塵機の吸引ダクトに吸い込ませるホッパ部が形成されている請求項５記載の切削機における切り粉飛散防止用カバー。
【請求項７】回転する切削部材にワークが接触しながら移動する切削機において、請求項１ないし６のうちのいずれか一項に記載の切り粉飛散防止用カバーを有する切削機。
【請求項８】回転する切削部材にワークを接触させながら移動せしめる切削加工方法において、請求項５または６記載の切削機の切り粉飛散防止用カバーを用い、ワークをワーククランプで固定し、固定カバーの左側壁の前側傾斜部と第１移動カバーの開口対向壁の傾斜対応部とがつながるようにワーク台の位置を調整した後、上下の切削円盤を回転させてワーク台を右方へ移動し、ワークの先端部が両切削円盤間を通過してワークの切削加工が終了する時に、前記傾斜対応部内面を固定カバーの下壁傾斜部に当接させてワーク台を停止する切削加工方法。
【発明の詳細な説明】
【０００１】
【発明の属する技術分野】
本発明は、回転する切削部材にワークが接触しながら移動する切削機における切り粉飛散防止用カバーに関する。
【０００２】
【発明が解決しようとする課題】
図４に示すように、例えば棒状ワーク(51)の先端部の上側および下側に平面部(52)を切削加工する場合、回転軸(53)の下端部に所定間隔をあけて取付けられた上下２枚の切削円盤(54)間に、ワーク台（図示略）に固定されたワーク(51)の先端部を両切削円盤(54)に接触した状態で通過させるが、この際、切り粉や切削油が周辺に飛散することから、カバーを設ける必要がある。
【０００３】
しかしながら、図５に示すように、切削円盤(54)に対してワーク(51)が右方向（矢印方向）に移動するため、従来、カバーは移動するワーク(51)の先端部と間隔をおいて回転軸（53）側の斜線範囲内に設けられていた。この場合、斜線範囲の外にあるワーク(51)側にはまったくカバーがないため、かなりの切り粉等が飛散するのが実情であった。
【０００４】
本発明の目的は、回転する切削部材にワークが接触しながら移動する切削機において、切り粉等の飛散を完全に防止することができる切り粉飛散防止用カバーを提供することにある。
【０００５】
【課題を解決するための手段】
請求項１の発明による切削機における切り粉飛散防止用カバーは、  切削機本体上に固定され、回転する切削部材を覆う固定カバーと、切削部材の前方で左右方向に移動するワーク台上に設けられた第１および第２移動カバーとを備え、固定カバーは、上下壁、左右側壁、後壁および前開口部よりなり、且つ前開口部から切削部材の一部が出るように設けられ、下壁には切削部材の前方まで伸びる延長部が設けられ、右側壁にも下壁の延長部と同じ突出幅の延長部が設けられており、第１移動カバーは、ワーク台上の上下のクランプの左後側に設けられてワーク台の右方への移動に伴って固定カバーの前開口部を塞ぎつつ移動するようになされ、且つワーク台の移動に伴って固定カバーの上壁の上側を移動する上壁と、固定カバーの下壁の下側を移動する下壁と、上下壁の前端間に設けられ且つ固定カバーの前開口部と対向する開口対向壁とよりなり、第２移動カバーは、ワーククランプの上方を覆い、下面に上クランプを一体に有する透明な板状であり且つその後部はワーク台の移動に伴って固定カバーの上壁 を移動するようになされているものである。
【０００６】
請求項２の発明は、請求項１記載の切削機における切り粉飛散防止用カバーにおいて、切削部材が、棒状ワークの先端部を接触させながら通過させ得る間隔をおいた上下２枚の切削円盤であるものである。
請求項３の発明は、請求項１記載の切削機における切り粉飛散防止用カバーにおいて、固定カバーの右側壁延長部に棒状ワークの通過を許す凹形切欠部が形成されているものである。
請求項４の発明は、請求項１記載の切削機における切り粉飛散防止用カバーにおいて、固定カバーの下壁延長部の左側に傾斜部が設けられ、第１移動カバーの上壁および下壁は、それぞれ固定カバーの下壁延長部および下壁傾斜部に対応する広幅部および傾斜部を備えており、第１移動カバーの開口対向壁は、固定カバーの下壁延長部に対応する対応部と固定カバーの下壁傾斜部に対応する傾斜対応部とを備えているものである
請求項５の発明は、請求項４記載の切削機における切り粉飛散防止用カバーにおいて、切削部材が、棒状ワークの先端部を接触させながら通過させ得る間隔をおいた上下２枚の切削円盤であり、固定カバーの左側壁がその中央から斜め前側右方へ傾斜した前側傾斜部を有し、左側壁の中央から後側部に集塵機の吸引ダクトが接続されているものである。
請求項６の発明は、請求項５記載の切削機における切り粉飛散防止用カバーにおいて、固定カバーの上壁、下壁および後壁は、それぞれ切削部材より左方へ伸び、これら各壁と固定カバーの左側壁とによって、切削部材による切削粉を集塵機の吸引ダクトに吸い込ませるホッパ部が形成されているものである。
請求項７の発明による切削機は、回転する切削部材にワークが接触しながら移動する切削機において、請求項１ないし６のうちのいずれか一項に記載の切り粉飛散防止用カバーを有するものである。
請求項８の発明による切削加工方法は、回転する切削部材にワークを接触させながら移動せしめる切削加工方法において、請求項５または６記載の切削機の切り粉飛散防止用カバーを用い、ワークをワーククランプで固定し、固定カバーの左側壁の前側傾斜部と第１移動カバーの開口対向壁の傾斜対応部とがつながるようにワーク台の位置を調整した後、上下の切削円盤を回転させてワーク台を右方へ移動し、ワークの先端部が両切削円盤間を通過してワークの切削加工が終了する時に、前記傾斜対応部内面を固定カバーの下壁傾斜部に当接させてワーク台を停止するものである。
【０００７】
【発明の実施の形態】
次に、本発明の実施形態について図面を参照しつつ説明する。なお、本明細書において、上下、前後および左右は、図２を基準をとし、上とは図２の図面紙葉の表側を、下とは同裏側を示し、前とは図２の下側を、後とは同図の上側を指し、左とは図２の左側を、右とは同図右側を指すものとする。
【０００８】
図１〜図３において、切削機における切り粉飛散防止用カバーは、切削機本体上に固定され、回転する切削部材（１）である上下２枚の切削円盤(1a)(1b)を覆う固定カバー(2) と、両切削円盤(1a)(1b)の前側で左右方向に移動するワーク台上に設けられた第１および第２移動カバー(3) (4) とを備え、固定カバー(2) は、上下壁(5) (6) 、左右側壁(7)(8)、後壁(9) および前開口部(11)よりなる。
【０００９】
第１移動カバー(3) は、ワーク台上のワーククランプ(12)の左後側に設けられ、ワーク台の右方への移動に伴って固定カバー(2) の前開口部(11)を塞ぎつつ移動するようになされ、且つワーク台の移動に伴って固定カバー(2) の上壁(5) の上側を移動する上壁(13)と、固定カバー(2) の下壁(6) の下側を移動する下壁(14)と、上下壁(13)(14)の前端間に設けられ且つ固定カバー(2) の前開口部(11)と対向する開口対向壁(15)とよりなる。
【００１０】
切削部材(1)である上下２枚の切削円盤(1a)(1b)は、図１の時計方向（矢印Ａ方向）に回転する回転軸(16)の下端部にその一部が前開口部(11)から出るように取付けられている。
【００１１】
固定カバー(2) の上壁(5) には上記回転軸(16)を通す透孔(17)が設けられ、また上壁(5) の前縁(5a)はワーク台の移動方向（矢印Ｂ方向）と平行であって、切削部材(1) の前端近くまで伸びている。
【００１２】
固定カバー(2) の下壁(6) は、切削部材(1) による切り粉を受けるように、切削部材(1) の前方まで伸びる延長部(6a)を有しており、下壁延長部(6a)の左側には傾斜部(6b)が設けられている。
【００１３】
固定カバー(2) の右側壁(8) にも、下壁延長部(6a)と同じ突出幅の延長部(8b)が設けられ、右側壁延長部(8b)にはワーク(W) を通す凹形切欠部(8a)が形成されている。
【００１４】
固定カバー(2) の左側壁(7) は、その幅中央から斜め前側右方へ傾斜した前側傾斜部(7b)を有し、左側壁(7) の幅中央から後の後側部(7a)には集塵機の吸引ダクト(18)が接続されている。
【００１５】
また、固定カバー(2) の上壁(5) 、下壁(6) および後壁(9) は、それぞれ切削部(1) より左方へ伸び、これら各壁(5)(6)(9) と左側壁(7) とによって、時計方向（矢印Ａ方向）に回転する切削部材(１)による切り粉を集塵機の吸引ダクト(18)に吸い込ませるホッパ部(2a)が形成されている。
【００１６】
第１移動カバー(3) の上壁(13)および下壁(14)は、それぞれ固定カバー(2) の下壁延長部(6a)および下壁傾斜部(6b)に対応する広幅部(13a)(14a)および傾斜部(13b)(14b)を備えており、また開口対向壁(15)も上記固定カバー(2) の下壁延長部(6a)に対応する延長対応部(15a) と固定カバー(2) の下壁傾斜部(6b)に対応する傾斜対応部(15b) を備えている。
【００１７】
ワーククランプ(12)は、上下に対向するブロック状クランプ(12a)(12b)と、その前方に配された上下に対向する板状クランプ(12c)(12d)とよりなり、ブロック状上クランプ(12a) および板状上クランプ(12c) は、それぞれ方形板状の透明な第２移動カバー(4) の下面に設けられ、ブロック状下クランプ(12b) および板状下クランプ(12d) はワーク台上に設けられ、また板状下クランプ(12d) は、上記第１移動カバー(3) における開口対向壁（15）の延長対応部(15a)の右端に連なるようにこれと一体構成となされている。このようにして、第２移動カバー(4) は、ワーククランプ(12)の上方を覆い、 その後部はワーク台の移動に伴って固定カバー(2) の上壁(5) の上側を移動する。
【００１８】
本実施形態の切り粉飛散防止用カバーによれば、ワーク(W) をワーククランプ(12)で固定した上、図２に示すように、固定カバー(2) の左側壁(7) の前側傾斜部(7b)と第１移動カバー(3) の開口対向壁(15)の傾斜対応部(15b)とがつながるようにワーク台の位置を調整した後、切削円盤(1a)(1b)を回転させつつ、ワーク台を右方（矢印Ｂ方向）へ移動する。この際、切削円盤(1a)(1b)によって切削されるワーク(W) の切り粉の大部分は、固定カバー(2) のホッパ部(2a)へ飛んで即座に集塵機の吸引ダクト(18)内へ吸い込まれる。また、固定カバー(2) の前開口部(11)へ飛んだ切り粉は、前開口部(11)を塞ぐ第１移動カバー(3) の内面に当たって固定カバー(2) のホッパ部(2a)へはね返り、吸引ダクト(18)内へ吸い込まれる。
【００１９】
この他、上記切削加工時において、切り粉がワーククランプ(12)上方へ飛ぶ場合でもこの切り粉が第２移動カバー(4) 内面に当たるため、ワーク台およびその周辺に切り粉が飛散することはない。
【００２０】
そして、図３に示すように、ワーク(W) の先端部が上下の切削円盤(1a)(1b)間を通過してワーク(W) の切削加工が終了する時に、第１移動カバー(3) の開口対向壁(15)における傾斜対応部(15b) 内面が固定カバー(2)の下壁傾斜部(6b)に当接してワーク台が停止する。
【００２１】
本実施形態では、第１移動カバー(3) の右側壁延長部(8b)にワーク(W) を通す凹形切欠部(8a)が形成されているが、第１移動カバー(3) の右側壁(8) が、切削完了後のワーク(W) の右側停止位置よりも更に右側に位置する場合には、右側壁延長部(8b)に凹形切欠部(8a)を設けなくても良いことは勿論である。
【００２２】
また、本実施形態では、ワーク(W) の先端部を上下の切削円盤(1a)(1b)間に通してワーク(W) の先端部の上側および下側に平面部を設ける場合について述べたが、回転する切削部材にワークが接触しながら移動する種々の切削機における切り粉の飛散防止にも用いることができる。
【００２３】
【発明の効果】
本発明の切り粉飛散防止用カバーは、従来から切削部材側に設けられていた固定カバーの他に、従来設けられていなかったワーク台側にもワーク台の移動に伴って固定カバーの前開口部を塞ぎつつ移動する第１移動カバーおよびワーククランプの上方を覆う第２移動カバーを有するため、ワークの切り粉等が切削機周辺に飛散するのが確実に防止される。
【図面の簡単な説明】
【図１】本発明の一実施形態を示す分解斜視図である。
【図２】同実施形態におけるワーク切削前の状態を示す水平断面図である。
【図３】同実施形態におけるワーク切削後の状態を示す水平断面図である。
【図４】従来例を示す斜視図である。
【図５】従来例を示す平面図である。
【符号の説明】
(１)：      切削部材
(1a)(1b)：  切削円盤
(2) ：      固定カバー
(2a) ：      固定カバーのホッパー部
(3) ：      第１移動カバー
(4) ：      第２移動カバー
(5) ：      固定カバーの上壁
(6) ：      固定カバーの下壁
(6a)：      固定カバーの下壁延長部
(6b) ：     固定カバー の下壁傾斜部
(7) ：      固定カバーの左側壁
(7 a) ：    固定カバーの左側壁の後側部
(7 b) ：    固定カバーの左側壁の前側傾斜部
(8) ：      固定カバーの右側壁
(8a)：      固定カバーの右側壁延長部の凹形切欠部
(8b)：      固定カバーの右側壁延長部
(9) ：      固定カバーの後壁
(11)：      前開口部
(12)：      ワーククランプ
(12a) (12c)：上クランプ
(12b) (12d)：下クランプ
(13)：      第１移動カバーの上壁
(13a)：     第１移動カバーの上壁広幅部
(13b)：     第１移動カバーの上壁傾斜部
(14)：      第１移動カバーの下壁
(14a)：     第１移動カバーの下壁広幅:部
(14b)：     第１移動カバーの下壁傾斜部
(15)：      開口対向壁
(15a)：     開口対向壁の延長対応部
(15b)：     開口対向壁の傾斜対応部
(Ｗ)：      ワーク
【手続補正２】
【補正対象書類名】図面
【補正対象項目名】図２
【補正方法】変更
【補正の内容】
【図２】
1999019845.tif 000001